(57)【要約】【課題】主として要介護者の入浴用に供し、介護者が入浴者を浴槽から抱えて出入れする等の介護作業を省けると共に、介護者が要介護者の体を洗い流す等の介護作業を容易に行なえる浴槽を構成する。【解決手段】上部側を開放した函形の外槽１と、上部並びに前部側を開放した四面体の内槽２と、内槽２を外槽１の槽内底から槽内上まで上昇動し乃至は槽内上から槽内底まで下降動する昇降駆動機構３とを備え、内槽の昇降駆動機構３は、外槽１の外枠プレート４をベースにシリンダロッドを上方に向けて立付け設置される駆動シリンダ３０と、内槽２を底部側より受止め支持する水平軸部３１ａを有し、駆動シリンダ３０のストローク動により外槽１の槽内で昇降動する内槽の保持ハンガー３１とを備えてなる。【選択図】図１
2005074201.tif 000002
【特許請求の範囲】
【請求項１】
上部側を開放した函形の外槽と、上部並びに前部側を開放した四面体の内槽と、内槽を外槽の槽内底から槽内上まで上昇動し乃至は槽内上から槽内底まで下降動する昇降駆動機構とを備え、
内槽の昇降駆動機構は、外槽の外枠プレートをベースにシリンダロッドを上方に向けて立付け設置される駆動シリンダと、内槽を底部側より受止め支持する水平軸部を有し、駆動シリンダのストローク動により外槽の槽内で昇降動する内槽の保持ハンガーとを備えてなることを特徴とする浴槽。
【請求項２】
外槽を嵌込み保持する外枠プレートをベースに立付け設置される一対のガイドレールと、内槽の保持ハンガーを垂直軸部であてがい装着し、ガイドレールの間で上下動可能に受止め支持される可動プレートと、ガイドレールの間に掛渡し固定される横桟プレートと、滑車を両軸端寄りに軸承装着し、軸線中央で駆動シリンダのロッド先端に取付け固定される支持シャフトとを設けると共に、滑車を介在させて牽引条を可動プレートと横桟プレートとの間に掛渡し連結した内槽の昇降駆動機構を備えてなることを特徴とする請求項１に記載の浴槽。
【請求項３】
洗い水の排出口を前部縁の片端側に設けた内槽を備え、内槽の昇降駆動機構を外枠プレートの片側部辺に載置される基台プレートの板面上に設置すると共に、昇降駆動機構の基台プレートを外枠プレートの板面に植立ボルトで軸承支持し、洗い水の排出口を上昇位置で外槽の槽外にはみ出す方向に揺動可能な内槽を備えてなることを特徴とする請求項１または２に記載の浴槽。
【請求項４】
保持ハンガーの水平軸部とヒンジ連結し、槽全体を上昇位置で外槽の槽外に跳上げ可能な内槽を備えてなることを特徴とする請求項１〜３のいずれかに記載の浴槽。
【発明の詳細な説明】
【技術分野】
【０００１】  本発明は、主として要介護者の入浴用に供する浴槽に関するものである。
【背景の技術】
【０００２】  既存の浴槽は、上部を入浴者の出入り口として開放した所定高さを有する函形のものに形成されている。その浴槽では、高齢者や身障者等の介護を要する者（以下、単に「入浴者」という。）を入浴させるに際し、介護者が入浴者を抱えて槽内に入れ、また、槽外に抱え出すことが重労働になっている。
【０００３】  その用に供すべく、従来、開閉扉を浴槽の前壁に取り付けて出入り自在に構成するもの（特許文献１）、入浴者の出入り個所を低く形成し、ジャバラ状の上下に伸縮自在な浴槽枠を低く形成された上端部に備えるもの（特許文献２）、入浴者を乗せて浴槽と洗い場との間を移動する昇降駆動機構を備えるもの（特許文献３）、浴槽の前壁を二層に分け、入浴者に応じて前壁の高さを調整するもの（特許文献４）等が提案されている。
【特許文献１】特開平３−２６２２１号公報
【特許文献２】特開平７−２４１２５１号公報
【特許文献３】特開平１０−３２８２６３号公報
【特許文献４】特開平１１−７６３５１号公報
【発明の開示】
【発明が解決しようとする課題】
【０００４】  解決しようとする問題点は、先に提案されている浴槽によると、まず、体を温め、次に、体を洗い、再度、体を温める如く入浴させる場合、体を洗う際には浴槽から洗い場に出す必要があるところから、介護者が入浴者を抱えて出入れする労力を依然として省けない点である。
【課題を解決するための手段】
【０００５】  本発明は、上部側を開放した函形の外槽と、上部並びに前部側を開放した四面体の内槽と、内槽を外槽の槽内底から槽内上まで上昇動し乃至は槽内上から槽内底まで下降動する昇降駆動機構とを備え、
内槽の昇降駆動機構は、外槽の外枠プレートをベースにシリンダロッドを上方に向けて立付け設置される駆動シリンダと、内槽を底部側より受止め支持する水平軸部を有し、駆動シリンダのストローク動により外槽の槽内で昇降動する内槽の保持ハンガーとを備えてなることを最も重要な特徴とする。【０００６】  その内槽の昇降駆動機構としては、外槽を嵌込み保持する外枠プレートをベースに立付け設置される一対のガイドレールと、内槽の保持ハンガーを垂直軸部であてがい装着し、ガイドレールの間で上下動可能に受止め支持される可動プレートと、ガイドレールの間に掛渡し固定される横桟プレートと、滑車を両軸端寄りに軸承装着し、軸線中央で駆動シリンダのロッド先端に取付け固定される支持シャフトとを設けると共に、各滑車を介在させて牽引条を可動プレートと横桟プレートとの間に掛渡し連結したものを備えることを特徴とする。【０００７】  内槽としては、洗い水の排出口を前部縁の片端側に設けた内槽を備え、内槽の昇降駆動機構を外枠プレートの片側部辺に載置される基台プレートの板面上に設置すると共に、昇降駆動機構の基台プレートを外枠プレートの板面に植立ボルトで軸承支持し、洗い水の排出口を上昇位置で外槽の槽外にはみ出す方向に揺動可能なものを備え、また、保持ハンガーの水平軸部とヒンジ連結し、槽全体を上昇位置で外槽の槽外に跳上げ可能な内槽を備えることを特徴とする。
【発明の効果】
【０００８】  本発明の浴槽は、主として要介護者の入浴用に供し、要介護者を内槽に乗せて槽内に入れ、また、体を内槽の槽内で洗い流すことができるため、介護者が要介護者を浴槽から抱えて出入れする等の介護作業を省けると共に、介護者が要介護者の体を洗い流す等の介護作業を容易に行なえるという利点がある。【０００９】  それに加えて、駆動シリンダのストローク動により内槽を外槽の槽内で昇降動するよう構成するため、内槽を簡単な機構で安定よく昇降動できしかも浴槽全体として安価なものに構成できる。また、洗い水も内槽の片端側に設けた排出口により外槽の槽外に排出でき、更に、槽全体を上昇位置で外槽の槽外に跳上げ可能な内槽を備えることから、内外槽の清掃も容易に行なえる利点がある。
【発明を実施するための最良の形態】
【００１０】  図１は、本発明の浴槽を全体的に示す斜視図であり、符号１は上部側を開放した横長な函形の外槽、２は上部並びに前部側を入浴者の出入り口として開放した外槽１よりも小さな相似形を呈する四面体の内槽、３は内槽の昇降駆動機構である。このうち、外槽１は浴室の室内に設置される四辺形の外枠プレート４に嵌め込んで上縁部の下回りから受止め支持されている。内槽の昇降駆動機構３は、内槽２を片持ち保持するよう外枠プレート４の片側辺に載置する基台プレート５の板面上に設置されている。【００１１】  外槽１は、プラスチック製或いは軽量で耐蝕性を有するステンレス等の金属製で、止水栓（図示せず）を底面に備えて湯水の出入れ可能に形成されている。内槽２は、強化プラスチックにより軽量で剛性を有するよう形成されている。内槽２には、図２で示すように洗い水の排出口２ａが水誘導用の立上り縁２ｂより底内面と面一になるよう前部縁の片端側に設けられている。この内槽２は、湯水の出入りスリット（図示せず）を底面乃至は側面に設けて湯水から受ける抵抗を少なくするよう形成できる。【００１２】  内槽の昇降駆動機構３は、図３で示すようにシリンダロッド３０ａを上方に向けてシリンダ本体３０ｂで基台プレート５の板面上に立付け設置される駆動シリンダ３０と、内槽２（図２参照）を底部側より受止め支持する水平軸部３１ａを有し、駆動シリンダ３０のストローク動により外槽１の槽内で昇降動する内槽の保持ハンガー３１とを備えて構成されている。【００１３】  駆動シリンダ３０としては、図４で示すように油圧供給ユニット３０ｃ，切換えバルブ３０ｄから強い動力を供給可能な油圧シリンダまたは水道水等を動力源に利用可能で安価な水圧シリンダが備え付けられる。内槽の保持ハンガー３１はパイプ部材でなり、平面略Ｕ状を呈する水平軸部３１ａと、水平軸部３１ａの軸端より縦方向に折れ曲がる垂直軸部３１ｂ，３１ｃとから正面略Ｌ形に形成されている。【００１４】  内槽の昇降駆動機構３は、駆動シリンダ３０，内槽の保持ハンガー３１を備えると共に、一対のガイドレール３２ａ，３２ｂと、上下の可動プレート３３ａ，３３ｂと、横桟プレート３４と、一対の滑車３５ａ，３５ｂと、滑車３５ａ，３５ｂの支持シャフト３６と、一対の牽引条３７ａ，３７ｂとを保持ハンガー３１の作動機構部として備えることにより組み立てられている。【００１５】  ガイドレール３２ａ，３２ｂは、横断面コの字状を呈し、所定の間隔を上掛け桟３８で保って基台プレート５の板面上に立付け設置されている。可動プレート３３ａ，３３ｂは、ガイドレール３２ａ，３２ｂのコの字内に嵌り合う左右のローラ３３ｃ，３３ｄ（図３中、片側のみ図示）によりガイドレール３２ｂ，３２ｃの間で上下動可能に受止め支持されている。この可動プレート３３ａ，３３ｂの間には、内槽の保持ハンガー３１が垂直軸部３１ｂ，３１ｃであてがい装着されている。横桟プレート３４は、ガイドレール３２ａ，３２ｂの外側面で可動プレート３３ａ，３３ｂと離間する側に掛渡し固定されている。【００１６】  一対の滑車３５ａ，３５ｂは、支持シャフト３６の両軸端寄りに軸承装着されている。支持シャフト３６は、軸線中央で駆動シリンダ３０のロッド先端���取付け固定されている。一対の牽引条３７ａ，３７ｂは、各滑車３５ａ，３５ｂを介在させて下側の可動プレート３３ａと横桟プレート３４との間に掛渡し連結されている。この構成中、各滑車３５ａ，３５ｂ並びに牽引条３７ａ，３７ｂとしてはギヤ，チエーンまたはプーリー，平ベルトを組に備え付けられる。【００１７】  上述した構成各部の他に、昇降駆動機構の基台プレート５は洗い水の排出口２ａを内槽２の上昇位置で外槽１の槽外にはみ出す方向に揺動し得るよう外枠プレート４の板面に植立ボルト６（図１参照）で軸承支持されている。また、基台プレート５の戻り位置を規制するよう平面Ｌ字状のストッパプレート７（図４参照）が外枠プレート４の板面上に設けられている。更に、内槽２は槽全体を上昇位置で外槽１の槽外に跳ね上げられるよう保持ハンガー３１の水平軸部３１ａとヒンジ３８ａ，３８ｂ（図４参照）により底外面で連結装着されている。【００１８】  このように構成する浴槽では、駆動シリンダ３０をスイッチ操作でストローク動させることにより、内槽２が昇降動する。まず、図５で示すように駆動シリンダ３０のストロークを縮小動させると、内槽２が外槽１（図示せず）の槽内底に下降位置する。その内槽２の下降位置から駆動シリンダ３０のストロークを伸長動させると、図６で示すように内槽２が外槽１の槽内底から槽内上まで上昇動する。【００１９】  駆動シリンダ３０がストローク伸長動すると、シリンダロッド３０ａの先端に取り付けられた滑車３５ａ，３５ｂの支持シャフト３６が上昇し、横桟プレート３４と可動プレート３３ａとの間に連結された牽引条３７ａ，３７ｂが滑車３５ａ，３５ｂを介して保持ハンガー３１の取り付けられた可動プレート３３ａ，３３ｂを引き上げることにより、内槽２が外槽１の槽内底から槽内上まで上昇動する。【００２０】  その浴槽により、まず、体を温め、次に、体を洗い、再度、体を温める如く入浴させる場合、図７で示すように入浴者を内槽２が外槽１の上昇位置で内槽２に一旦乗せれば、体を洗ってから温めるまで、内槽２を昇降動させることから全てを行なえる。この内槽２を上昇動すれば、入浴者を洗い場に出なくても、体を内槽２の内側で洗えるため、介護者が入浴者を抱えて出し入れする労力を省ける。【００２１】  体を上昇位置する内槽２の内側で洗う際に、図８で示すように植立ボルト６を支点として内槽２を保持する昇降駆動機構３を全体的に基台プレート５で揺動することから，洗い水の排出口２ａを外槽１の槽外にはみ出させられる。これにより、洗い水は内槽２の立上り縁２ｂに誘導されて排出口２ａから洗い場に流し出せる。【００２２】  その浴槽の清掃にあたっては、内槽２は外槽１の槽内底に下降状態で通常通り洗える。外槽１は、図９で示すように内槽２を上昇させて保持ハンガー３１の水平軸部３１ａと連結したヒンジ３８ａ，３８ｂにより槽全体を外槽１の槽外に跳ね上げることにより、外槽１の槽内に入って作業を行なえる。【００２３】  上述した実施の形態は、要介護者を主体に説明したが、通常人が一般家庭で内槽２を降下させたまま入浴すれば、要介護者と兼用するよう使用できる。
【図面の簡単な説明】
【００２４】
【図１】本発明に係る浴槽を内槽の上昇状態で示す斜視図である。
【図２】図１の浴槽を示す正面図である。
【図３】図１の浴槽に備えられる内槽の昇降駆動機構を示す斜視図である。
【図４】図１の浴槽を示す平面図である。
【図５】図３の昇降駆動機構を内槽の下降状態で示す側面図である。
【図６】図３の昇降駆動機構を内槽の上昇状態で示す側面図である。
【図７】図１の浴槽による入浴状態を示す説明図である。
【図８】図１の浴槽を内槽の揺動状態で示す平面図である。
【図９】図１の浴槽を内槽の跳上げ状態で示す側面図である。
【符号の説明】
【００２５】１            外槽
２            内槽
２ａ          洗い水の排出口
３            内槽の昇降駆動機構
３０          駆動シリンダ
３１          内槽の保持ハンガー
３１ａ        保持ハンガーの水平軸部
３１ｂ        保持ハンガーの垂直軸部
３２ａ，３２ｂ    ガイドレール
３３ａ，３３ｂ    可動プレート
３４          横桟プレート
３５ａ，３５ｂ    滑車
３６              滑車の支持シャフト
３７ａ，３７ｂ    牽引条
４            外枠プレート
５            基台プレート
６            植立ボルト
【図１】
2005074201.tif 000003
【図２】
2005074201.tif 000004
【図３】
2005074201.tif 000005
【図４】
2005074201.tif 000006
【図５】
2005074201.tif 000007
【図６】
2005074201.tif 000008
【図７】
2005074201.tif 000009
【図８】
2005074201.tif 000010
【図９】
2005074201.tif 000011